(57)【要約】【課題】維持放電による発光効率を向上させることが出来るプラズマディスプレイパネルを提供する。【解決手段】前面ガラス基板１０に行電極対（Ｘ，Ｙ）が設けられ、背面ガラス基板１３に列方向に延び行方向に並設されて行電極対（Ｘ，Ｙ）と交差する位置の放電空間Ｓに放電セルＣを構成する複数の列電極Ｄが設けられ、この前面ガラス基板１０と背面ガラス基板１３の間に、放電セルＣを区画する隔壁１５が配置されているプラズマディスプレイパネルにおいて、隔壁１５が、金属基材１５ａとこの金属基材１５ａを被覆する誘電体絶縁層１５ｂによって構成され、この隔壁１５の金属基材１５ａに直流電位を印加する引出電極Ｅが接続されている。【選択図】　　　図１０
2004014333.tif 000002
【特許請求の範囲】
【請求項１】
放電空間を挟んで互いに対向する一対の基板の間に画像形成のための放電が行われる発光領域を区画する隔壁が配置されたプラズマディスプレイパネルにおいて、
前記隔壁が金属基材とこの金属基材を被覆する誘電体絶縁層とを有し、この隔壁の金属基材に所要の電位を印加する電極が接続されていることを特徴とするプラズマディスプレイパネル。
【請求項２】
前記隔壁の金属基材に印加される電位が直流電位である請求項１に記載のプラズマディスプレイパネル。
【請求項３】
前記電極が、プラズマディスプレイパネルの画像表示エリアの外側の位置において隔壁の金属基材に接続されている請求項１に記載のプラズマディスプレイパネル。
【請求項４】
前記隔壁にその金属基材が誘電体絶縁層によって被覆されていない部分が設けられ、この誘電体絶縁層によって被覆されていない部分において金属基材と電極とが接続されている請求項１に記載のプラズマディスプレイパネル。
【請求項５】
前記隔壁の金属基材と電極との接続が、金属基材の誘電体絶縁層によって被覆されていない部分において導電性ペーストを介して行われる請求項４に記載のプラズマディスプレイパネル。
【請求項６】
前記隔壁が、井桁形状に成形されている請求項１に記載のプラズマディスプレイパネル。
【請求項７】
一方の基板側に行方向に延び列方向に並設されて表示ラインを形成する複数の行電極対が設けられ、この一方の基板と放電空間を介して対向する他方の基板側に列方向に延び行方向に並設されて行電極対と交差する位置の放電空間に単位発光領域を構成する複数の列電極が設けられ、この一対の基板の間に単位発光領域を区画する隔壁が配置されているプラズマディスプレイパネルにおいて、
前記隔壁が、金属基材とこの金属基材を被覆する誘電体絶縁層を有し、この隔壁の金属基材に所要の電位を印加する電極が接続されていることを特徴とするプラズマディスプレイパネル。
【請求項８】
前記隔壁の金属基材に印加される電位が直流電位である請求項７に記載のプラズマディスプレイパネル。
【請求項９】
前記電極が、プラズマディスプレイパネルの画像表示エリアの外側の位置において隔壁の金属基材に接続されている請求項７に記載のプラズマディスプレイパネル。
【請求項１０】
前記隔壁にその金属基材が誘電体絶縁層によって被覆されていない部分が設けられ、この誘電体絶縁層によって被覆されていない部分において金属基材と電極とが接続されている請求項７に記載のプラズマディスプレイパネル。
【請求項１１】
前記隔壁の金属基材と電極との接続が、金属基材の誘電体絶縁層によって被覆されていない部分において導電性ペーストを介して行われる請求項１０に記載のプラズマディスプレイパネル。
【請求項１２】
前記隔壁が、行方向に沿って延びる横壁と列方向に沿って延びる縦壁とによって井桁形状に成形されている請求項７に記載のプラズマディスプレイパネル。
【請求項１３】
前記隔壁の金属基材への所要の電位の印加が、列電極に電位を印加する列電極電位印加手段、または、行電極対の行電極に電位を印加する行電極電位印加手段によって行われる請求項７に記載のプラズマディスプレイパネル。
【請求項１４】
前記隔壁の金属基材への所要の電位の印加が、列電極に電位を印加する列電極電位印加手段および行電極対の行電極に電位を印加する行電極電位印加手段とは別個に設けられた隔壁電位印加手段によって行われる請求項７に記載のプラズマディスプレイパネル。
【請求項１５】
前記隔壁の金属基材に印加される電位の大きさが、行電極対の行電極間で放電を発生させるために行電極間に印加される電位の略二分の一である請求項７に記載のプラズマディスプレイパネル装置。
【発明の詳細な説明】
【０００１】
【発明の属する技術分野】
この発明は、面放電方式交流型のプラズマディスプレイパネルに関し、特に、このプラズマディスプレイパネルの放電セルを区画する隔壁の構造に関する。
【０００２】
【発明が解決しようとする課題】
図１１ないし１３は、この発明の出願人が先に提案を行っている面放電方式交流型プラズマディスプレイパネル（以下、ＰＤＰという）のセル構造を模式的に示しており、図１１は、その正面図であり、図１２は図１１のＶ−Ｖ線における断面図、図１３のＷ−Ｗ線における断面図である。
【０００３】
この図１１ないし１３に示されるＰＤＰは、前面ガラス基板１の背面側に、行方向に延び列方向に並設されてそれぞれ表示ラインＬを形成する複数の行電極対（Ｘ，Ｙ）とこの行電極対（Ｘ，Ｙ）を被覆する誘電体層２およびこの誘電体層２を被覆する保護層３とが設けられている。
【０００４】
背面ガラス基板４の前面ガラス基板１と放電空間Ｓを介して対向する側には、列方向に延び行方向に並設されて行電極対（Ｘ，Ｙ）と交差する位置においてそれぞれ放電空間Ｓに放電セルＣを構成する複数の列電極Ｄが設けられている。
【０００５】
そして、列方向に延びる縦壁５Ａと行方向に延びる横壁５Ｂによって井桁状に形成された隔壁５が、前面ガラス基板１と背面ガラス基板４との間に配置されて、この前面ガラス基板１と背面ガラス基板４の間の放電空間Ｓが放電セルＣ毎に行方向と列方向に区画されており、隔壁５の横壁５Ｂに対向する部分に背面ガラス基板４側に張り出すように形成された嵩上げ誘電体層２Ａが、横壁５Ｂに当接することによって、列方向に隣接する放電セルＣの間が閉じられている。
【０００６】
さらに、各放電セルＣ内に、赤（Ｒ），緑（Ｇ），青（Ｂ）に色分けされた蛍光体層６が、列方向に順に並ぶようにそれぞれ形成されている。
【０００７】
上記のＰＤＰにおける画像形成は、リセット期間の後のアドレス期間において、各放電セルＣにおいて行電極対（Ｘ，Ｙ）の一方の行電極（この例では、Ｙ電極）と列電極Ｄとの間で選択的にアドレス放電が行われ、発光セル（誘電体層２に壁電荷が形成された放電セル）と非発光セル（誘電体層２に壁電荷が形成されていない放電セル）とが、表示する画像に対応してパネル面に分布される。
【０００８】
そして、このアドレス期間におけるアドレス放電の後、維持放電期間に、全表示ラインＬにおいて行電極対（Ｘ，Ｙ）の行電極ＸとＹに対して交互に放電維持パルスが印加され、これによって、放電維持パルスが印加される毎に、各発光セル内において行電極ＸとＹの間で維持放電が発生する。
【０００９】
このようにして、発光セル内に発生される維持放電によって、放電空間内に充填されている放電ガスから紫外線が発生され、この紫外線によって各放電セルＣ毎に赤（Ｒ），緑（Ｇ），青（Ｂ）に色分けされた蛍光体層６がそれぞれ励起されて発光することにより、表示する画像が形成される。
【００１０】
このＰＤＰにおいて、隔壁５は、行方向および列方向においてそれぞれ隣接する放電セルＣ間で放電の干渉による誤放電が発生するのを防止する機能を有しており、このため、絶縁性を有していることが必要である。
【００１１】
このようなＰＤＰの放電セルＣを区画する隔壁は、従来は、低融点ガラスペーストを塗布して焼成した後、サンドブラスト法によって形成されているが、製造コストが高くなるといった問題を有している。
【００１２】
このため、図１４に示されるように、隔壁５の内部を導電性の金属基材５ａによって形成し、その表面を絶縁性を有する誘電材料によって形成された誘電体絶縁層５ｂによって被覆することにより、その絶縁性を確保するとともに、製造コストの低減を図ることが提案されている。
【００１３】
しかしながら、このように、隔壁５の内部が金属基材５ａによって形成されると、図１５に示されるように、維持放電期間において行電極Ｘ，Ｙに放電維持パルスが印加された際に、この放電維持パルスが印加された側の行電極ＸまたはＹ（図示の例は、行電極Ｙに放電維持パルスが印加されている状態を示している）と隔壁５の金属基材５ａとの間に電位差が生じて、行電極Ｙから行電極Ｘの方向に流れるはずの放電電流ＤＣの一部ｄｃが近接位置にある隔壁５の方向に流れてしまい、維持放電による発光効率が低下してしまうという問題が発生する。
【００１４】
この発明は、上記のような放電セルを区画する隔壁を備えた面放電方式交流型プラズマディスプレイパネルにおける問題点を解決するために為されたものである。
すなわち、この発明は、維持放電による発光効率を向上させることが出来るプラズマディスプレイパネルを提供することを目的とする。
【００１５】
【課題を解決するための手段】
第１の発明によるプラズマディスプレイパネルは、上記目的を達成するために、放電空間を挟んで互いに対向する一対の基板の間に画像形成のための放電が行われる発光領域を区画する隔壁が配置されたプラズマディスプレイパネルにおいて、前記隔壁が金属基材とこの金属基材を被覆する誘電体絶縁層とを有し、この隔壁の金属基材に所要の電位を印加する電極が接続されていることを特徴としている。
【００１６】
この第１の発明によるプラズマディスプレイパネルは、一対の基板間の放電空間の隔壁によって区画された発光領域内において画像形成のための放電が行われる際に、隔壁を形成する誘電体絶縁層によって被覆された金属基材に、この金属基材に接続された電極から所要の電位が印加されて、この隔壁と電位が印加されて画像形成のための放電を発生させる電極との間の電位差が小さくなるように設定される。
【００１７】
したがって、上記第１の発明によれば、金属基材が誘電体絶縁層によって被覆されることによって構成される隔壁を有するプラズマディスプレイパネルにおいて、画像形成のための放電電流がこの放電を発生させる電極から隔壁の金属基材の方向に流れるのを減少させることができ、これによって、プラズマディスプレイパネルの発光効率の向上を図ることが出来るようになる。
【００１８】
第２の発明によるプラズマディスプレイパネルは、前記目的を達成するために、第１の発明の構成に加えて、前記隔壁の金属基材に印加される電位が直流電位であることを特徴としている。
【００１９】
この第２の発明によるプラズマディスプレイパネルは、隔壁の金属基材に直流電位が印加されることによって、隔壁における電位が一定に保持される。
【００２０】
第３の発明によるプラズマディスプレイパネルは、前記目的を達成するために、第１の発明の構成に加えて、前記電極が、プラズマディスプレイパネルの画像表示エリアの外側の位置において隔壁の金属基材に接続されていることを特徴としている。
【００２１】
この第３の発明によるプラズマディスプレイパネルによれば、隔壁の金属基材とこの金属基材に電位を印加する電極との接続が、プラズマディスプレイパネルの画像表示エリアの外側の位置において行われることによって、画像表示エリア内におけるプラズマディスプレイパネルの画像形成に影響を与える虞が無い。
【００２２】
第４の発明によるプラズマディスプレイパネルは、前記目的を達成するために、第１の発明の構成に加えて、前記隔壁にその金属基材が誘電体絶縁層によって被覆されていない部分が設けられ、この誘電体絶縁層によって被覆されていない部分において金属基材と電極とが接続されていることを特徴としている。
【００２３】
この第４の発明によるプラズマディスプレイパネルによれば、隔壁の金属基材に電位を印加する電極が、隔壁の誘電体絶縁層が形成されていない部分において行われる。
【００２４】
第５の発明によるプラズマディスプレイパネルは、前記目的を達成するために、第１の発明の構成に加えて、前記隔壁の金属基材と電極との接続が、金属基材の誘電体絶縁層によって被覆されていない部分において導電性ペーストを介して行われることを特徴としている。
【００２５】
この第５の発明によるプラズマディスプレイパネルは、隔壁の金属基材と電極との接続が、金属基材の誘電体絶縁層によって被覆されていない部分に充填された導電性ペーストを介して行われ、この導電性ペーストによって金属基材と電極との接続が確実に行われるようになる。
【００２６】
第６の発明によるプラズマディスプレイパネルは、前記目的を達成するために、第１の発明の構成に加えて、前記隔壁が、井桁形状に成形されていることを特徴としている。
【００２７】
この第６の発明によるプラズマディスプレイパネルによれば、隔壁が井桁形状に成形されて、この隔壁の一部が画像形成のための放電を発生させる電極に近接して位置される場合でも、この隔壁の金属基材に電位が印加されることによって、画像形成のための放電電流が隔壁の方に流れるのが防止される。
【００２８】
第７の発明によるプラズマディスプレイパネルは、前記目的を達成するために、一方の基板側に行方向に延び列方向に並設されて表示ラインを形成する複数の行電極対が設けられ、この一方の基板と放電空間を介して対向する他方の基板側に列方向に延び行方向に並設されて行電極対と交差する位置の放電空間に単位発光領域を構成する複数の列電極が設けられ、この一対の基板の間に単位発光領域を区画する隔壁が配置されているプラズマディスプレイパネルにおいて、前記隔壁が、金属基材とこの金属基材を被覆する誘電体絶縁層を有し、この隔壁の金属基材に所要の電位を印加する電極が接続されていることを特徴としている。
【００２９】
この第７の発明によるプラズマディスプレイパネルは、一対の基板間の放電空間の行電極対と列電極とが交差する位置に形成される単位発光領域内において、各行電極対の行電極間で画像形成のための放電が行われる際に、各単位発光領域を区画する隔壁の誘電体絶縁層によって被覆された金属基材に、この金属基材に接続された電極から所要の電位が印加されることによって、画像形成のために電位が印加された行電極と隔壁の金属基材との間に発生する電位差が小さくなる。
【００３０】
したがって、上記第１の発明によれば、金属基材が誘電体絶縁層によって被覆されることによって構成される隔壁を有するプラズマディスプレイパネルにおいて、画像形成のための放電電流がこの放電を発生させる電極から隔壁の金属基材の方向に流れるのを減少させることができ、これによって、プラズマディスプレイパネルの発光効率の向上を図ることが出来るようになる。
【００３１】
第８の発明によるプラズマディスプレイパネルは、前記目的を達成するために、第７の発明の構成に加えて、前記隔壁の金属基材に印加される電位が直流電位であることを特徴としている。
【００３２】
この第８の発明によるプラズマディスプレイパネルは、隔壁の金属基材に直流電位が印加されることによって、隔壁における電位が一定に保持される。
【００３３】
第９の発明によるプラズマディスプレイパネルは、前記目的を達成するために、第７の発明の構成に加えて、前記電極が、プラズマディスプレイパネルの画像表示エリアの外側の位置において隔壁の金属基材に接続されていることを特徴としている。
【００３４】
この第９の発明によるプラズマディスプレイパネルによれば、隔壁の金属基材とこの金属基材に電位を印加する電極との接続が、プラズマディスプレイパネルの画像表示エリアの外側の位置において行われることによって、画像表示エリア内におけるプラズマディスプレイパネルの画像形成に影響を与える虞が無い。
【００３５】
第１０の発明によるプラズマディスプレイパネルは、前記目的を達成するために、第７の発明の構成に加えて、前記隔壁にその金属基材が誘電体絶縁層によって被覆されていない部分が設けられ、この誘電体絶縁層によって被覆されていない部分において金属基材と電極とが接続されていることを特徴としている。
【００３６】
この第１０の発明によるプラズマディスプレイパネルによれば、隔壁の金属基材に電位を印加する電極が、隔壁の誘電体絶縁層が形成されていない部分において行われる。
【００３７】
第１１の発明によるプラズマディスプレイパネルは、前記目的を達成するために、第１０の発明の構成に加えて、前記隔壁の金属基材と電極との接続が、金属基材の誘電体絶縁層によって被覆されていない部分において導電性ペーストを介して行われることを特徴としている。
【００３８】
この第１１の発明によるプラズマディスプレイパネルは、隔壁の金属基材と電極との接続が、金属基材の誘電体絶縁層によって被覆されていない部分に充填された導電性ペーストを介して行われ、この導電性ペーストによって金属基材と電極との接続が確実に行われるようになる。
【００３９】
第１２の発明によるプラズマディスプレイパネルは、前記目的を達成するために、第１の発明の構成に加えて、前記隔壁が、行方向に沿って延びる横壁と列方向に沿って延びる縦壁とによって井桁形状に成形されていることを特徴としている。
【００４０】
この第１２の発明によるプラズマディスプレイパネルによれば、隔壁が井桁形状に成形されて、この隔壁の横壁や縦壁が画像形成のための放電を発生させる行電極に近接して位置される場合でも、この隔壁の金属基材に電位が印加されることによって、画像形成のための放電電流が隔壁の方向に流れるのが防止される。
【００４１】
第１３の発明によるプラズマディスプレイパネルは、前記目的を達成するために、第７の発明の構成に加えて、前記隔壁の金属基材への所要の電位の印加が、列電極に電位を印加する列電極電位印加手段、または、行電極対の行電極に電位を印加する行電極電位印加手段によって行われることを特徴としている。
【００４２】
この第１３の発明によるプラズマディスプレイパネルによれば、発光させる単位発光領域の選択のために列電極に電位を印可して行電極との間でアドレス放電を発生させる列電極電位印加手段、または、行電極対を構成する一対の行電極に交互に電位を印加して発光のための維持放電を発生させる行電極電位印加手段による制御によって、維持放電が行われる際に隔壁の金属基材への電位の印加が行われる。
【００４３】
第１４の発明によるプラズマディスプレイパネルは、前記目的を達成するために、第７の発明の構成に加えて、前記隔壁の金属基材への所要の電位の印加が、列電極に電位を印加する列電極電位印加手段および行電極対の行電極に電位を印加する行電極電位印加手段とは別個に設けられた隔壁電位印加手段によって行われることを特徴としている。
【００４４】
この第１４の発明によるプラズマディスプレイパネルによれば、発光させる単位発光領域の選択のために列電極に電位を印可して行電極との間でアドレス放電を発生させる列電極電位印加手段、および、行電極対を構成する一対の行電極に交互に電位を印加して発光のための維持放電を発生させる行電極電位印加手段とは別個に設けられた隔壁電位印加手段による制御によって、行電極間における維持放電が行われる際に、隔壁の金属基材への電位の印加が行われる。
【００４５】
第１５の発明によるプラズマディスプレイパネルは、前記目的を達成するために、第７の発明の構成に加えて、前記隔壁の金属基材に印加される電位の大きさが、行電極対の行電極間で放電を発生させるために行電極間に印加される電位の略二分の一であることを特徴としている。
【００４６】
この第１５の発明によるプラズマディスプレイパネルによれば、隔壁の金属基材に、行電極対の行電極間で放電を発生させるために行電極に印加される電位の略二分の一の大きさの電位が印加されることによって、この隔壁の金属基材と電位が印加された行電極との間の電位差が小さくなり、これによって、画像形成のために行電極間で発生される放電電流がこの電極から隔壁の金属基材の方向に流れるのが減少される。
【００４７】
【発明の実施の形態】
以下、この発明の最も好適と思われる実施の形態について、図面を参照しながら詳細に説明を行う。
【００４８】
図１ないし５は、この発明によるプラズマディスプレイパネル（以下、ＰＤＰという）の実施形態における一例を示すものであって、図１はＰＤＰの行電極対と隔壁との関係を模式的に表す正面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００４９】
この図１ないし５において、表示面である前面ガラス基板１０の背面に、複数の行電極対（Ｘ，Ｙ）が、前面ガラス基板１０の行方向（図１の左右方向）に延びるように平行に配列されている。
【００５０】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００５１】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００５２】
この行電極ＸとＹは、前面ガラス基板１０の列方向（図１の上下方向）に交互に配列されており、バス電極ＸｂとＹｂに沿って並列されたそれぞれの透明電極ＸａとＹａが互いに対となる相手の行電極側に延びて、透明電極ＸａとＹａの幅広部の頂辺が、それぞれ所要の幅の放電ギャップｇを介して互いに対向されている。
【００５３】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００５４】
前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）２０が形成されており、さらに、行方向に配列される各透明電極Ｘａ，Ｙａのそれぞれの中間位置において各行電極対（Ｘ，Ｙ）のバス電極ＸｂとＹｂの間を列方向に沿って延びる黒色の光吸収層（遮光層）２１が形成されている。
【００５５】
この光吸収層２０は後述する隔壁の横壁に対向され、光吸収層２１は隔壁の縦壁に対向される。
【００５６】
前面ガラス基板１０の背面には、さらに、行電極対（Ｘ，Ｙ）を被覆する誘電体層１１が形成されており、この誘電体層１１の背面には、互いに隣接する行電極対（Ｘ，Ｙ）の隣り合うバス電極Ｘｂ，Ｙｂに対向する位置および隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂに対して平行に延びるように形成されている。
【００５７】
そして、この誘電体層１１と嵩上げ誘電体層１１Ａの背面側には、ＭｇＯからなる保護層１２が形成されている。
【００５８】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００５９】
背面ガラス基板１３の前面ガラス基板１０と対向する側の面上には、さらに、列電極Ｄを被覆する列電極保護層（誘電体層）１４が形成され、この列電極保護層１４上に、互いに平行に配列された各列電極Ｄの間の位置において列方向に延びる縦壁１５Ａと嵩上げ誘電体層１１Ａに対向する位置において行方向に延びる横壁１５Ｂとを有する井桁状の隔壁１５が形成されている。
【００６０】
この隔壁１５は、井桁状に形成された導電性の金属基材１５ａの表面が、絶縁性を有する誘電材料によって形成された誘電体絶縁層１５ｂによって被覆された構成になっている。
【００６１】
この井桁状の隔壁１５によって、前面ガラス基板１０と背面ガラス基板１３の間の放電空間Ｓが、各行電極対（Ｘ，Ｙ）において対となった透明電極ＸａとＹａに対向する部分毎に区画されて、それぞれ方形の放電セルＣが形成されている。
【００６２】
隔壁１５の縦壁１５Ａの表示側の面は保護層１２に当接されておらず（図４参照）、その間に隙間ｒが形成されているが、横壁１５Ｂの表示側の面が、保護層１２の嵩上げ誘電体層１１Ａを被覆している部分に当接されていて、列方向において隣接する放電セルＣとの間がそれぞれ閉じられている（図２および５参照）。
【００６３】
放電セルＣに面する隔壁１５の縦壁１５Ａおよび横壁１５Ｂの側面と列電極保護層１４の表面には、これらの五つの面を全て覆うように蛍光体層１６が形成されており、この蛍光体層１６の色は、各放電セルＣ毎に赤（Ｒ），緑（Ｇ），青（Ｂ）の三原色が行方向に順に並ぶように配列されている。
【００６４】
そして、前面ガラス基板１０と背面ガラス基板１３の間の放電空間Ｓ内には、放電ガスが封入されている。
【００６５】
図６は、上記のように構成されたＰＤＰの周縁部の非表示エリア部分を示す平面図であり、図７はこの図６のＶ５−Ｖ５線における断面図である。
【００６６】
この図６および７に示されるＰＤＰの非表示エリア部分おいて、隔壁１５の横壁１５Ｂの下方に位置する部分の列電極保護層１４との間に、引出電極Ｅが設けられている。
【００６７】
そして、隔壁１５の引出電極Ｅと対向する部分には、金属基材１５ａを被覆する誘電体絶縁層１５ｂが形成されておらず、この部分において金属基材１５ａと引出電極Ｅとが、その間に充填された導電性ペースト１５ｃによって電気的に接続されている。
【００６８】
上記のＰＤＰは、行電極対（Ｘ，Ｙ）がそれぞれマトリクス表示画面の１表示ライン（行）Ｌを構成している。
【００６９】
図８は、上記ＰＤＰの画像形成動作時のパルス印加のタイミングチャートを示している。
次に、この図８のタイミングチャートを参照しながら上記ＰＤＰにおける画像形成時の動作について説明を行う。
【００７０】
すなわち、行電極Ｘ，Ｙにリセット・パルスＲＰｘ，ＲＰｙが印加されてリセット放電が行われるリセット期間Ｒｃの後、列電極Ｄへのデータ・パルスＤＰｎの印加と行電極Ｙへの操作パレスＳＰの印加によってアドレス放電が行われるアドレス期間Ｗｃにおいて、パネル面に発光セル（誘電体層１１に壁電荷が形成された放電セルＣ）と非発光セル（誘電体層１１に壁電荷が形成されていない放電セルＣ）とが、表示する画像に対応して分布される。
【００７１】
そして、このアドレス期間の後、維持放電期間Ｉｃにおいて、全表示ラインＬにおいて一斉に、行電極対（Ｘ，Ｙ）に対して交互に放電維持パルスＩＰｘ，ＩＰｙが印加されて、各発光セルにおいて行電極対（Ｘ，Ｙ）ごとに放電ギャップｇを介して透明電極ＸａとＹａとの間で発光維持放電が行われ、この発光維持放電によって放電ガスから発生される紫外線によって赤，緑，青の三原色に色分けされた各蛍光体層１６がそれぞれ励起されて発光することにより、表示する画像が形成される。
【００７２】
この維持放電期間Ｉｃに、引出電極Ｅから隔壁１５の導電性ペースト１５ｃを介して金属基材１５ａに所定の直流電位Ｖｅが印加される。
【００７３】
この直流電位Ｖｅは、この例では、放電維持パルスＩＰｘ，ＩＰｙの電圧Ｖｓの略二分の一、すなわち、放電維持パルスＩＰｘ，ＩＰｙが印加されたときの行電極Ｘ，Ｙ間の電位差の略二分の一に設定されており、例えば、図９に示される行電極Ｘ，Ｙへの放電維持パルスの印加を行う行電極ドライバＸＤ，ＹＤ、または、列電極Ｄへのデータ・パルスの印加を行うアドレス・ドライバＡＤのうちの何れかのドライバによる制御によって、または、図示しない専用のドライバによって、引出電極Ｅから隔壁１５の金属基材１５ａに印加される。
【００７４】
このように、維持放電期間Ｉｃにおいて、発光維持放電が行われる際に、隔壁１５の金属基材１５ａに直流電位Ｖｅが印加されることによって、それぞれ放電維持パルスＩＰｘ，ＩＰｙが印加される行電極Ｘ，Ｙと隔壁１５との間に生じる電位差が小さくなる。
【００７５】
これによって、図１０に示されるように、放電維持パルスが印加された行電極（図示の例では行電極Ｙ）とこの行電極Ｙに近接する位置にある隔壁１５の部分とによって電場ＥＦが形成されるので、行電極Ｙからの放電電流ＤＣのほとんどがそのとき放電維持パルスが印加されていない行電極Ｘの方向に流れて、隔壁１５の方向に流れる放電電流が減少され、放電電流が隔壁１５の方向に流れて発光効率が減少するのが防止される。
【００７６】
なお、上記の例において、金属基材１５ａへの印加電圧を放電維持パルスＩＰｘ，ＩＰｙの電圧Ｖｓの略二分の一に設定したのは、放電維持パルスＩＰｘ，ＩＰｙを印加した際に、行電極Ｘと金属基材１５ａの間の電位差と、行電極Ｙと金属基材１５ａの間の電位差をそれぞれ小さくするためである。
【００７７】
すなわち、金属基材１５ａに例えばＶｓ／３の電圧を印加すれば、行電極Ｙと金属基材１５ａの間の電位差がＶｓ／３になって小さくなる代わりに、行電極Ｘと金属基材１５ａの間の電位差が２Ｖｓ／３になって大きくなってしまうが、行電極Ｘに電圧Ｖｓのパルスが印加され行電極Ｙの電位が０ｖである場合に、金属基材１５ａにＶｓ／２の電圧を印加すれば、行電極Ｘと金属基材１５ａの間の電位差と、行電極Ｙと金属基材１５ａの間の電位差がそれぞれＶｓ／２になり、それぞれの電位差を小さくすることが出来る。
【図面の簡単な説明】
【図１】この発明の実施形態における一例を示す正面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】同例におけるＰＤＰの画像表示エリアの外側の部分の構成を示す正面図である。
【図７】図６のＶ３−Ｖ３線における断面図である。
【図８】同例における隔壁への電位の印加のタイミングを示すタイムチャートである。
【図９】同例における電位印加のためのドライバ構成を示すブロック図である。
【図１０】同例における維持放電時の放電電流の状態を示す説明図である。
【図１１】プラズマディスプレイパネルの従来のセル構造を示す正面図である。
【図１２】図１１のＶ−Ｖ線における断面図である。
【図１３】図１１のＷ−Ｗ線における断面図である。
【図１４】従来のプラズマディスプレイパネルの他の例を示す断面図である。
【図１５】図１４のプラズマディスプレイパネルにおける維持放電時の放電電流の状態を示す説明図である。
【符号の説明】
１０　　　　…前面ガラス基板（基板）
１１　　　　…誘電体層
１１Ａ　　　…嵩上げ誘電体層
１２　　　　…保護層
１３　　　　…背面ガラス基板（基板）
１４　　　　…列電極保護層
１５　　　　…隔壁
１５ａ　　　…金属基材
１５ｂ　　　…誘電体絶縁層
１５ｃ　　　…導電性ペースト
１５Ａ　　　…縦壁
１５Ｂ　　　…横壁
１６　　　　…蛍光体層
２０　　　　…光吸収層
２１　　　　…光吸収層
Ｘ，Ｙ　　　…行電極
Ｘａ，Ｙａ　…透明電極
Ｘｂ，Ｙｂ　…バス電極
Ｄ　　　　　…列電極
Ｅ　　　　　…引出電極（電極）
Ｓ　　　　　…放電空間
Ｃ　　　　　…放電セル（単位発光領域）
ＸＤ　　　　…Ｘ電極ドライバ（行電極電位印加手段）
ＹＤ　　　　…Ｙ電極ドライバ（行電極電位印加手段）
ＡＤ　　　　…アドレス・ドライバ（列電極電位印加手段）
ＤＣ　　　　…放電電流
ＥＦ　　　　…電場
Ｖｅ　　　　…直流電位（電位）
ｇ　　　　　…ギャップ
ｒ　　　　　…隙間
【図１】
2004014333.tif 000003
【図２】
2004014333.tif 000004
【図３】
2004014333.tif 000005
【図４】
2004014333.tif 000006
【図５】
2004014333.tif 000007
【図６】
2004014333.tif 000008
【図７】
2004014333.tif 000009
【図８】
2004014333.tif 000010
【図９】
2004014333.tif 000011
【図１０】
2004014333.tif 000012
【図１１】
2004014333.tif 000013
【図１２】
2004014333.tif 000014
【図１３】
2004014333.tif 000015
【図１４】
2004014333.tif 000016
【図１５】
2004014333.tif 000017